(57)【要約】【課題】  代替局の受信状態に関する情報を取得する際における再生音の違和感を軽減する。【解決手段】  受信装置は、チューナで受信された受信信号から音声信号を生成する音声信号生成部と、受信信号に基づいて、音声信号に対する音声信号処理を制御するための制御信号を出力する制御信号出力部と、音声信号に対して、制御信号に応じた音声信号処理を施して出力する音声信号処理部と、チューナの受信局を制御し、受信局における受信状態に関する情報を受信信号に基づいて取得する受信局制御部と、を備え、受信局制御部は、受信局を第１受信局から第２受信局に切り替える際に、第１受信局の受信信号に基づく制御信号を保存し、受信局を第１受信局に戻す際に、保存された制御信号を復元する。【選択図】  図１
2010109459.tif 000002
【特許請求の範囲】
【請求項１】
チューナで受信された受信信号から音声信号を生成する音声信号生成部と、
前記受信信号に基づいて、前記音声信号に対する音声信号処理を制御するための制御信号を出力する制御信号出力部と、
前記音声信号に対して、前記制御信号に応じた音声信号処理を施して出力する音声信号処理部と、
前記チューナの受信局を制御し、前記受信局における受信状態に関する情報を前記受信信号に基づいて取得する受信局制御部と、
を備え、
前記受信局制御部は、
前記受信局を第１受信局から第２受信局に切り替える際に、前記第１受信局の前記受信信号に基づく前記制御信号を保存し、前記受信局を前記第１受信局に戻す際に、保存された前記制御信号を復元すること、
を特徴とする受信装置。
【請求項２】
請求項１に記載の受信装置であって、
前記受信局制御部は、
前記受信局を前記第１受信局から前記第２受信局に切り替える際に、前記音声信号をミュートするとともに、前記第１受信局の前記受信信号に基づく前記制御信号を保存し、
前記音声信号がミュートされた状態で、前記受信局を前記第２受信局から更に別の受信局に切り替え、
前記受信局を前記第１受信局に戻す際に、保存された前記制御信号を復元するとともに、前記音声信号のミュートを解除すること、
を特徴とする受信装置。
【請求項３】
請求項２に記載の受信装置であって、
前記受信局制御部は、
前記受信局の切り替えを指示するコマンドに設定されたパラメータに基づいて、前記受信局の切り替え先と、前記音声信号のミュートの有無と、前記音声信号のミュート解除の有無と、前記制御信号の保存の有無と、前記制御信号の復元の有無とを選択すること、
を特徴とする受信装置。
【発明の詳細な説明】
【技術分野】
【０００１】
本発明は、受信装置に関する。
【背景技術】
【０００２】
ラジオの放送信号に放送局や曲名等に関するデータを多重して配信するシステムが実用化されている。このようなシステムとしては、例えば、欧州におけるＲＤＳ（Radio Data System）や米国におけるＲＢＤＳ（Radio Broadcasting Data System）が知られている。
【０００３】
例えば、ＲＤＳの場合、放送信号には同一の番組を放送している代替局の周波数を示す代替局データが重畳されている。そして、ＲＤＳの放送信号を受信するＲＤＳ受信機では、例えば、代替局データに基づいて、所定期間ごとに、放送信号の受信局をユーザから指定された放送局から代替局に切り替えて代替局の受信レベルを検出し、受信局を元の放送局に戻して受信を続けることが行われる。また、ＲＤＳ受信機では、例えば、受信レベルが低下した場合に、受信局をユーザから指定された放送局から代替局に切り替えて代替局の受信レベルを検出し、受信レベルの高い代替局に受信局を自動的に切り替えることが行われる。
【０００４】
このようなＲＤＳ受信機では、受信局を代替局に切り替える際には、再生音の違和感を軽減するために、音声信号をミュートすることが一般的に行われる。そして、受信局を元に戻すか、受信レベルの高い代替局に切り替える際に、音声信号のミュートが解除される（例えば、特許文献１）。また、ＲＤＳ受信機を含むラジオ受信機では、例えば受信信号の受信レベルや隣接妨害レベル等に基づいて、ステレオノイズコントロールやハイカットコントロール等の音声信号処理が行われることが多い（例えば、特許文献２）。
【特許文献１】特開平１０−１６３８９５号公報
【特許文献２】特開平６−３１５０１６号公報
【発明の開示】
【発明が解決しようとする課題】
【０００５】
ＲＤＳ受信機において、受信信号に基づいた音声信号処理を行う場合、受信局が代替局に切り替えられると、元の放送局の際に行われていた音声信号処理の制御がリセットされ、代替局の受信信号に基づいた音声信号処理が開始される。その後、受信局が元の放送局に戻されてミュートが解除されると、元の放送局の受信信号に基づいて、新たに音声信号処理が開始される。このとき、受信信号に基づく音声信号処理が切り替え前の状態まで復帰して安定するまでには時間を要するため、再生音に違和感が生じてしまうことがある。
【０００６】
本発明は上記課題を鑑みてなされたものであり、代替局の受信状態に関する情報を取得する際における再生音の違和感を軽減することを目的とする。
【課題を解決するための手段】
【０００７】
上記目的を達成するため、本発明の一つの側面に係る受信装置は、チューナで受信された受信信号から音声信号を生成する音声信号生成部と、前記受信信号に基づいて、前記音声信号に対する音声信号処理を制御するための制御信号を出力する制御信号出力部と、前記音声信号に対して、前記制御信号に応じた音声信号処理を施して出力する音声信号処理部と、前記チューナの受信局を制御し、前記受信局における受信状態に関する情報を前記受信信号に基づいて取得する受信局制御部と、を備え、前記受信局制御部は、前記受信局を第１受信局から第２受信局に切り替える際に、前記第１受信局の前記受信信号に基づく前記制御信号を保存し、前記受信局を前記第１受信局に戻す際に、保存された前記制御信号を復元する。
【発明の効果】
【０００８】
代替局の受信状態に関する情報を取得する際における再生音の違和感を軽減することができる。
【発明を実施するための最良の形態】
【０００９】
図１は、本発明の一実施形態であるＲＤＳ受信機の構成を示す図である。ＲＤＳ受信機１０は、アンテナ２０、チューナ２２、システムＬＳＩ（Large Scale Integration）２４、システムマイコン２６、メモリ２８、操作部３０、及び表示部３２を含んで構成されている。
【００１０】
チューナ２２は、アンテナ２０を介して受信されるＦＭ多重放送信号から、システムＬＳＩ２４で指定される受信局の放送信号を抽出し、中間周波数信号（ＩＦ信号）に変換して出力する。
【００１１】
システムＬＳＩ２４は、ＡＤコンバータ（ＡＤＣ）４０、ＩＦ処理部４２、デジタル信号処理回路（ＤＳＰ）４４、ＤＡコンバータ（ＤＡＣ）４６、受信状態検出部４８、バンドパスフィルタ（ＢＰＦ）５０、ＲＤＳ復調部５２、及びマイコン６０を含んで構成されている。
【００１２】
チューナ２２から出力されるＩＦ信号は、ＡＤＣ４０でデジタル音声信号に変換されてＩＦ処理部４２（音声信号生成部）に出力される。ＩＦ処理部４２は、ＩＦ信号を増幅した後に検波処理を施してＤＳＰ４４に出力する。ＤＳＰ４４（音声信号処理部）では、デジタル音声信号に対して各種の音声信号処理が施される。例えば、ＤＳＰ４４は、マルチプレクサ（ＭＰＸ）７０、ハイカットコントロール部（ＨＣＣ）７２、ミュート部（ＭＵＴＥ）７４を含んで構成されている。ＭＰＸ７０では、コンポジット信号からステレオ信号が生成されるとともに、ステレオ信号のノイズを抑制するステレオノイズコントロール処理が実行される。ＨＣＣ７２では、高周波成分を抑制するハイカットコントロール処理が実行される。ＭＵＴＥ７４では、音声信号のミュートを制御するミュート処理が実行される。
【００１３】
受信状態検出部４８は、ＩＦ処理部４２から出力されるＩＦ信号に基づいて、ＳメータＤＣ値やＳメータＡＣ値等の受信レベル、隣接妨害レベル等の受信状態を検出し、マイコン６０に出力する。ＢＰＦ５０は、ＩＦ処理部４２の検波出力のうち例えば５７ｋＨｚの周波数帯を通過させることにより、ＲＤＳ信号を抽出する。ＲＤＳ復調部５２は、ＲＤＳ信号を復調してＲＤＳデータを生成し、マイコン６０に出力する。
【００１４】
マイコン６０は、システムＬＳＩ２４に内蔵されており、システムマイコン２６の制御に従って、チューナ２２の受信局の制御や、ＤＳＰ４４における音声信号処理の制御を行う。例えば、マイコン６０は、受信局制御部８０、制御信号出力部８２、制御信号記憶部８４を含んで構成されている。受信局制御部８０は、システムマイコン２６からのコマンドに基づいて、チューナ２２の受信局を変更し、変更後の受信局の受信状態を検出してシステムマイコン２６に出力するとともに、ＲＤＳ復調部５２から出力されるＲＤＳデータをシステムマイコン２６に出力する。制御信号出力部８２は、受信局の受信状態に基づいて、ＭＰＸ７０、ＨＣＣ７２、及びＭＵＴＥ７４に対する制御信号を出力する。例えば、制御信号出力部８２は、受信レベルが所定レベル以下になると、音声出力をモノラルとする制御信号をＭＰＸ７０に出力する。また、受信局制御部８０は、システムマイコン２６からのコマンドに基づいて、制御信号出力部８２から出力される制御信号を制御信号記憶部８４に保存したり、保存された制御信号を制御信号出力部８２に復元したりすることができる。
【００１５】
ここで、受信局制御部８０及び制御信号出力部８２は、マイコン６０がプログラムを実行することにより実現される。また、制御信号記憶部８４は、マイコン６０が備えるメモリの記憶領域により実現される。なお、制御信号記憶部８４は、マイコン６０の外部のメモリにより実現されることとしてもよい。
【００１６】
システムマイコン２６は、ＲＤＳ受信機１０の全体を統括制御する。例えば、システムマイコン２６は、操作部３０での受信局の選択操作に応じて、受信局を変更するためのコマンドをマイコン６０に出力する。また、例えば、システムマイコン２６は、マイコン６０から出力される受信状態の検出結果をメモリ２８に格納する。また、例えば、システムマイコン２６は、マイコン６０から出力されるＲＤＳデータをメモリ２８に格納する。このＲＤＳデータには、例えば、受信局の局名や放送されている曲の曲名等に関するデータや、受信局と同一の番組を放送している代替局の周波数を示す代替局データ等が含まれている。そして、システムマイコン２６は、例えば、メモリ２８に格納されているＲＤＳデータに基づいて、表示部３２に受信局の局名や放送されている曲の曲名を表示したり、代替局の受信状態をチェックするコマンドをマイコン６０に定期的に出力したり、受信局の受信感度が低い場合は、受信感度の良い代替局に切り替えるコマンドをマイコン６０に出力したりする。
【００１７】
図２は、受信局切り替えコマンドに基づく制御の一例を示す図である。マイコン６０の受信局制御部８０は、パラメータＰ１〜Ｐ５が設定された受信局切り替えコマンドをシステムマイコン２６から受信する（Ｓ１０１）。受信局制御部８０は、パラメータＰ１に基づいて、ミュートを行うかどうか、すなわちミュートＯＮ処理の実行有無を選択する（Ｓ１０２）。ミュートＯＮ処理が実行される場合は、ミュートを行うための制御信号が、制御信号出力部８２経由でＤＳＰ４４に出力される。受信局制御部８０は、パラメータＰ２に基づいて、受信局切り替え前に制御信号出力部８２から出力されている制御信号を保存する状態保存処理の実行有無を選択する（Ｓ１０３）。状態保存処理が実行される場合は、制御信号出力部８２から出力されている制御信号が制御信号記憶部８４に保存される。受信局制御部８０は、パラメータＰ３で指定された受信局への切り替えをチューナ２２に指示する（Ｓ１０４）。受信局制御部８０は、パラメータＰ４に基づいて、制御信号記憶部８４に保存された制御信号を復元する状態復元処理の実行有無を選択する（Ｓ１０５）。状態復元処理が実行される場合、制御信号記憶部８４に保存された制御信号が復元され、復元された制御信号が制御信号出力部８２経由でＤＳＰ４４に出力される。受信局制御部８０は、パラメータＰ５に基づいて、ミュートを解除するかどうか、すなわちミュートＯＦＦ処理の実行有無を選択する（Ｓ１０６）。ミュートＯＦＦ処理が実行される場合は、ミュートを解除するための制御信号が、制御信号出力部８２経由でＤＳＰ４４に出力される。なお、本実施形態では、各パラメータに対応する処理は、パラメータＰ１，Ｐ２，Ｐ４，Ｐ５が“１”の場合に実行され、“０”の場合は実行されないこととする。
【００１８】
図３は、受信局切り替え処理の一例を示すタイミングチャートである。初期状態では、受信局がＡ局（第１受信局）で音声信号が出力されている、すなわち、ミュートが解除されている。この状態で、パラメータ（Ｐ１，Ｐ２，Ｐ３，Ｐ４，Ｐ５）が（１，１，Ｂ，０，０）と設定された受信局切り替えコマンドがシステムマイコン２６からマイコン６０に送信されると、受信局制御部８０は、パラメータＰ１＝１に基づいて、制御信号出力部８２にミュートＯＮを指示し、音声出力信号をミュートする。さらに、受信局制御部８０は、パラメータＰ２＝１に基づいて、Ａ局の状態における制御信号を制御信号記憶部８４に保存する。その後、受信局制御部８０は、パラメータＰ３＝Ｂに基づいて受信局をＢ局（第２受信局）に変更し、Ｂ局の受信状態を取得する。なお、パラメータＰ４，Ｐ５は“０”であるため、状態復元処理及びミュートＯＦＦ処理は実行されない。
【００１９】
その後、パラメータ（Ｐ１，Ｐ２，Ｐ３，Ｐ４，Ｐ５）が（０，０，Ａ，１，１）と設定された受信局切り替えコマンドがシステムマイコン２６からマイコン６０に送信されると、受信局制御部８０は、パラメータＰ１，Ｐ２が“０”であるためミュートＯＮ処理及び状態保存処理は実行せず、パラメータＰ３＝Ａに基づいて受信局をＡ局に変更する。さらに、受信局制御部８０は、パラメータＰ４＝１に基づいて、制御信号記憶部８４に保存された制御信号を制御信号出力部８２に復元し、パラメータＰ５＝１に基づいて、制御信号出力部８２にミュートＯＦＦを指示する。つまり、Ｂ局への切り替え前の制御信号が復元された状態でＡ局に戻ってミュートが解除されるため、ミュートが解除された際の違和感が軽減される。なお、図３に例示する一連の処理が１回のコマンドで実行されるようにすることもできる。
【００２０】
図４〜図６は、受信局切り替え処理が実行される際の制御信号の変化の一例を示す図である。また、図７は、受信局切り替え処理が実行される際の音声出力信号の変化の一例を示す図である。図４〜図７の例は、時刻Ｔ１に受信局が代替局に切り替えられ、時刻Ｔ２に元の受信局に戻された場合の信号変化を示している。図４に示すように、時刻Ｔ１に代替局に切り替えられる際には、切り替え前のステレオノイズコントロール（ＳＮＣ）制御信号が制御信号記憶部８４に保存される。代替局に切り替えられた後は、代替局での受信信号に応じてＳＮＣ制御信号が変動する。その後、時刻Ｔ２に元の受信局に戻される際には、制御信号記憶部８４に保存されているＳＮＣ制御信号が復元されるため、制御信号出力部８２から出力されるＳＮＣ制御信号は、即座に切り替え前の状態で安定する。図５に示すハイカットコントロール（ＨＣＣ）制御信号、および、図６に示すミュート（ＭＵＴＥ）制御信号についても同様に、時刻Ｔ１の代替局への切り替え後には制御信号が変動するものの、時刻Ｔ２の元の受信局への切り替え時には、制御信号が復元されることにより代替局への切り替え前の状態に即座に移行する。そのため、図７に示すように、時刻Ｔ１にミュートされた後、時刻Ｔ２にミュートが解除される際には、制御信号が切り替え前の状態に復元されているため、音声出力信号が代替局への切り替え前と同じ状態に即座に安定する。したがって、ミュートをかけて受信局を代替局に切り替え、代替局から元の受信局に戻してミュートを解除する際に、再生音の違和感を軽減することができる。
【００２１】
図８及び図９は、受信局切り替え処理の他の例を示す図である。図８に示す例では、まず、パラメータ（Ｐ１，Ｐ２，Ｐ３，Ｐ４，Ｐ５）が（１，１，Ｂ，０，０）と設定された受信局切り替えコマンドがシステムマイコン２６からマイコン６０に送信される。これは、図３の１回目のコマンドと同じである。次に、パラメータ（Ｐ１，Ｐ２，Ｐ３，Ｐ４，Ｐ５）が（０，０，Ｃ，０，０）と設定された受信局切り替えコマンドがシステムマイコン２６からマイコン６０に送信される。この場合、パラメータＰ１，Ｐ２，Ｐ４，Ｐ５が全て“０”であるため、受信局をＢ局からＣ局に切り替え、Ｃ局の受信状態を取得する処理のみが実行される。同様に、パラメータ（Ｐ１，Ｐ２，Ｐ３，Ｐ４，Ｐ５）が（０，０，Ｄ，０，０）と設定された受信局切り替えコマンドがシステムマイコン２６からマイコン６０に送信されると、受信局をＣ局からＤ局に切り替え、Ｄ局の受信状態を取得する処理のみが実行される。その後、パラメータ（Ｐ１，Ｐ２，Ｐ３，Ｐ４，Ｐ５）が（０，０，Ａ，１，１）と設定された受信局切り替えコマンドがシステムマイコン２６からマイコン６０に送信され、図３の２回目のコマンドの場合と同様に、受信局がＡ局に戻され、最初に保存された制御信号が復元されて、ミュートが解除される。このように、図８の例では、１回のミュート期間に、Ｂ局、Ｃ局、及びＤ局の受信状態が取得されている。すなわち、ミュートのＯＮ／ＯＦＦを何度も行うことなく複数の代替局の受信状態を取得することが可能となり、複数の代替局の受信状態を取得する際の再生音の違和感を軽減することが可能となる。
【００２２】
また、図９に示す例では、１回目から３回目までのコマンドは図８の例と同じであるが、４回目のコマンドが異なっている。具体的には、４回目のコマンドでは、パラメータ（Ｐ１，Ｐ２，Ｐ３，Ｐ４，Ｐ５）が（０，０，Ｃ，０，１）となっている。したがって、受信局はＡ局に戻されるのではなくＣ局に変更される。また、元のＡ局に戻されるわけではないため、パラメータＰ４が“０”となっており、制御信号記憶部８４に保存されている制御信号の復元は行われない。このような制御は、例えば、Ａ局の受信感度よりもＣ局の受信感度の方が高い場合に行われる。
【００２３】
以上、本実施形態のＲＤＳ受信機１０について説明した。前述したように、ＲＤＳ受信機１０では、受信局が代替局に切り替えられる際に制御信号が保存され、元の受信局に戻る際に保存された制御信号が復元される。したがって、元の受信局に戻る際に、制御信号が切り替え前の状態に即座に安定するため、代替局の受信状態に関する情報を取得する際に生じる再生音の違和感を軽減することができる。
【００２４】
また、ＲＤＳ受信機１０では、代替局に切り替える際に音声信号がミュートされた状態で、ミュートを解除することなく、受信局を更に別の局に切り替えることも可能である。つまり、ミュートのＯＮ／ＯＦＦを何度も行うことなく複数の代替局の受信状態を取得することが可能となり、複数の代替局の受信状態に関する情報を取得する際の再生音の違和感を軽減することができる。
【００２５】
また、ＲＤＳ受信機１０では、受信局の切り替えを指示するコマンドに設定されたパラメータに基づいて、受信局の切り替え先、ミュートＯＮ処理の有無、ミュートＯＦＦ処理の有無、状態保存処理の有無、及び状態復元処理の有無を選択することができる。したがって、パラメータを適切に設定することにより、例えば、１回のミュート期間に複数の代替局の受信状態に関する情報を取得したり、保存された制御情報の復元タイミングを調整したりすることが可能となり、１つのコマンドであらゆるパターンに対応することが可能となる。
【００２６】
上記実施形態は本発明の理解を容易にするためのものであり、本発明を限定して解釈するためのものではない。本発明は、その趣旨を逸脱することなく、変更、改良され得ると共に、本発明にはその等価物も含まれる。
【図面の簡単な説明】
【００２７】
【図１】本発明の一実施形態であるＲＤＳ受信機の構成を示す図である。
【図２】受信局切り替えコマンドに基づく制御の一例を示す図である。
【図３】受信局切り替え処理の一例を示すタイミングチャートである。
【図４】受信局切り替え処理時のＳＮＣ制御信号の変化の一例を示す図である。
【図５】受信局切り替え処理時のＨＣＣ制御信号の変化の一例を示す図である。
【図６】受信局切り替え処理時のミュート制御信号の変化の一例を示す図である。
【図７】受信局切り替え処理時の音声出力信号の変化の一例を示す図である。
【図８】受信局切り替え処理の他の一例を示すタイミングチャートである。
【図９】受信局切り替え処理の他の一例を示すタイミングチャートである。
【符号の説明】
【００２８】
１０  ＲＤＳ受信機
２０  アンテナ
２２  チューナ
２４  システムＬＳＩ
２６  システムマイコン
２８  メモリ
３０  操作部
３２  表示部
４０  ＡＤコンバータ
４２  ＩＦ処理部
４４  デジタル信号処理回路
４６  ＤＡコンバータ
４８  受信状態検出部
５０  バンドパスフィルタ
５２  ＲＤＳ復調部
６０  マイコン
８０  マルチプレクサ
７２  ハイカットコントロール部
７４  ミュート部
８０  受信局制御部
８２  制御信号出力部
８４  制御信号記憶部
【図１】
2010109459.tif 000003
【図２】
2010109459.tif 000004
【図３】
2010109459.tif 000005
【図４】
2010109459.tif 000006
【図５】
2010109459.tif 000007
【図６】
2010109459.tif 000008
【図７】
2010109459.tif 000009
【図８】
2010109459.tif 000010
【図９】
2010109459.tif 000011